(57)【特許請求の範囲】
【請求項１】
ベッド毎に設置されて呼出操作が行われるナースコール子機と、
前記ナースコール子機からの呼出に応答するためのナースコール親機と、を備え、
前記ナースコール親機は、
親機表示部と、
患者情報を記憶する親機記憶部と、
対象患者及び対象時期の設定により、前記親機記憶部に記憶された前記患者情報に基づいて、前記対象時期以降の前記対象患者の所在及び前記対象時期以降の前記対象患者と同部屋の患者である関連患者の所在を前記親機表示部に表示させる親機表示制御部と、を有する、
ナースコールシステム。
【請求項２】
前記親機表示制御部は、前記対象時期以降の前記対象患者の所在及び前記対象時期以降の前記関連患者の所在からなる時系列の一覧表示を前記親機表示部に表示させるとともに、前記一覧表示における前記対象患者の表示部分を前記関連患者よりも目立つ強調表示とする、請求項１に記載のナースコールシステム。
【請求項３】
前記親機記憶部には、病院の所定のエリアにおける各病室のレイアウト情報が記憶され、
前記親機表示制御部は、前記親機記憶部に記憶された前記患者情報と前記レイアウト情報とに基づいて、患者名が表示されたベッド表示を含む病室のレイアウトを示すレイアウト画面を前記親機表示部に表示させるとともに、前記対象患者及び前記関連患者以外の非対象患者のベッド表示を、前記対象患者及び前記関連患者よりも目立たない抑制表示とする、請求項１に記載のナースコールシステム。
【請求項４】
前記親機表示制御部は、前記レイアウト画面における前記対象患者のベッド表示を、前記関連患者よりも目立つ強調表示とする、請求項３に記載のナースコールシステム。
【請求項５】
前記親機表示制御部は、前記関連患者の移動先のレイアウト画面を前記親機表示部に表示させるとともに、前記レイアウト画面における前記関連患者のベッド表示を行う、請求項３または請求項４に記載のナースコールシステム。
【発明の詳細な説明】
【技術分野】
【０００１】
本発明は、ナースコールシステムに関する。
【背景技術】
【０００２】
従来、ナースコール子機と、ナースコール子機からの呼出に対応するナースコール親機とを備えたナースコールシステムがある。従来のナースコールシステムは、ナースコール親機の表示部に、入院患者の各種の情報である患者情報が表示可能とされている（例えば、特許文献１参照）。
【先行技術文献】
【特許文献】
【０００３】
【特許文献１】特開２００４−９６４０９号公報
【発明の概要】
【発明が解決しようとする課題】
【０００４】
ところで、入院患者が感染症を発症した場合、感染ルート等を特定するために、対象期間における感染症を発生した対象患者の所在を追跡することが要求される。
従来のナースコールシステムでは、対象患者の患者情報をナースコール親機の表示部に表示させることで、対象患者の所在を追跡することが可能である。しかし、表示部に表示されるのは、検索した対象患者の患者情報だけであり、対象患者と同部屋であったために感染が疑われる関連患者の所在を追跡することは困難であった。このため、感染症の拡大を抑制するための処置を医療従事者が迅速かつ有効に行えない場合があった。
【０００５】
本発明は、感染症の拡大を抑制するための処置を医療従事者が迅速かつ有効に行うことを支援することが可能なナースコールシステムを提供することを目的とする。
【課題を解決するための手段】
【０００６】
本発明にかかるナースコールシステムは、
ベッド毎に設置されて呼出操作が行われるナースコール子機と、
前記ナースコール子機からの呼出に応答するためのナースコール親機と、を備え、
前記ナースコール親機は、
親機表示部と、
患者情報を記憶する親機記憶部と、
対象患者及び対象時期の設定により、前記親機記憶部に記憶された前記患者情報に基づいて、前記対象時期以降の前記対象患者の所在及び前記対象時期以降の前記対象患者と同部屋の患者である関連患者の所在を前記親機表示部に表示させる親機表示制御部と、を有する。
【０００７】
この構成のナースコールシステムによれば、例えば、感染症を発症した対象患者及び対象時期を設定すると、対象時期以降の対象患者の所在及び対象時期以降の同部屋の関連患者の所在が親機表示部に表示される。したがって、親機表示部を確認することで、対象患者のみならず関連患者の状況も一目で把握することができ、感染症に対する処置を迅速かつ有効に行うことができる。
【０００８】
また、本発明のナースコールシステムにおいて、前記親機表示制御部は、前記対象時期以降の前記対象患者の所在及び前記対象時期以降の前記関連患者の所在からなる時系列の一覧表示を前記親機表示部に表示させるとともに、前記一覧表示における前記対象患者の表示部分を前記関連患者よりも目立つ強調表示とするものでもよい。
【０００９】
この構成のナースコールシステムによれば、親機表示部に表示される対象時期以降の対象患者の所在及び対象時期以降の関連患者の所在からなる時系列の一覧表示を確認することで、例えば、感染症の感染状況を時系列的に一目で確認することができ、さらに迅速に処置することができる。しかも、対象患者の表示が強調表示されるので、一覧表示において、対象患者と関連患者とを容易に識別することができる。
【００１０】
また、本発明のナースコールシステムにおいて、前記親機記憶部には、病院の所定のエリアにおける各病室のレイアウト情報が記憶され、前記親機表示制御部は、前記親機記憶部に記憶された前記患者情報と前記レイアウト情報とに基づいて、患者名が表示されたベッド表示を含む病室のレイアウトを示すレイアウト画面を前記親機表示部に表示させるとともに、前記対象患者及び前記関連患者以外の非対象患者のベッド表示を、前記対象患者及び前記関連患者よりも目立たない抑制表示とするものでもよい。
【００１１】
この構成のナースコールシステムによれば、親機表示部に表示されるレイアウト画面を確認することで、病室内における対象患者及び関連患者の位置を容易に把握することができる。また、レイアウト画面において、対象患者及び関連患者以外の非対象患者のベッド表示が抑制表示とされるので、特別な処置が必要な対象患者及び関連患者に対して非対象患者のベッドを容易に識別することができる。
【００１２】
また、本発明のナースコールシステムにおいて、前記親機表示制御部は、前記レイアウト画面における前記対象患者のベッド表示を、前記関連患者よりも目立つ強調表示とするものでもよい。
【００１３】
この構成のナースコールシステムによれば、レイアウト画面において、対象患者のベッド表示が関連患者よりも目立つ強調表示とされるので、病室内における対象患者のベッドを容易に特定することができる。
【００１４】
また、本発明のナースコールシステムにおいて、前記親機表示制御部は、前記関連患者の移動先のレイアウト画面を前記親機表示部に表示させるとともに、前記レイアウト画面における前記関連患者のベッド表示を行うものでもよい。
【００１５】
この構成のナースコールシステムによれば、親機表示部に表示されるレイアウト画面を確認することで、関連患者の移動先の病室でのベッドの位置を容易に把握することができる。
【発明の効果】
【００１６】
本発明によれば、感染症の拡大を抑制するための処置を医療従事者が迅速かつ有効に行うことを支援することが可能なナースコールシステムを提供することができる。
【図面の簡単な説明】
【００１７】
【図１】本実施形態に係るナースコールシステムの構成図である。
【図２】図１に示すナースコールシステムにおける制御機の機能ブロック図である。
【図３】図１に示すナースコールシステムにおけるナースコール親機の機能ブロック図である。
【図４】ナースコール親機の小型モニタに表示されるトレース設定画面の表示例である。
【図５】ナースコール親機の大型モニタに表示される時系列所在一覧表示の表示例である。
【図６】ナースコール親機の大型モニタに表示される時系列レイアウト画面を示す図であって、（ａ）及び（ｂ）は、それぞれ異なる日時における時系列レイアウト画面の表示例である。
【図７】ナースコール親機の大型モニタに表示される時系列レイアウト画面の表示例である。
【発明を実施するための形態】
【００１８】
以下、本発明に係るナースコールシステムの実施形態の一例について、図面を参照して詳細に説明する。
【００１９】
図１は、本実施形態に係るナースコールシステム１の構成図である。
図１に示すように、ナースコールシステム１は、複数の（本例では４つの）ナースコール子機２ａ，２ｂ，２ｃ，２ｄ（以下、総称する場合はナースコール子機２と称する）と、ナースコール親機３と、複数の（本例では２つの）廊下灯４ａ，４ｂ（以下、総称する場合は廊下灯４と称する）と、制御機５と、複数の（本例では４つの）携帯端末６ａ，６ｂ，６ｃ，６ｄ（以下、総称する場合は携帯端末６と称する）と、基地局６１と、交換機６２と、を備えている。また、ナースコールシステム１にはハブ（ＨＵＢ）１５を介してオーダリングシステム７が接続されている。
ナースコールシステム１は、例えば患者を収容する病院等の医療，介護施設内に設置されている。
【００２０】
ナースコール子機２は、患者が看護師等の医療従事者を呼び出して通話を行うためのものであり、病室内の病床（ベッド）毎に設置されている。ナースコール子機２は、プレート子機２１と、握り子機２２と、を有している。プレート子機２１は、マイクとスピーカを備え、各患者のベッドの上方の壁面に設置されている。マイク及びスピーカは患者が看護師との間で相互に通話を行うためのものである。握り子機２２は、呼出ボタンを備え、プレート子機２１にケーブルで接続されている。呼出ボタンは病室内の患者が看護師を呼び出すためのボタンである。ナースコール子機２は、通信ケーブルを通じて廊下灯４に接続されている。
【００２１】
廊下灯４は、各患者からの呼出を検出してその呼出を病室外へ報知するものであり、病室の入口付近に設置されている。本例の廊下灯４は、ハブ１５を経由して制御機５と接続されている。本例の廊下灯４には、液晶表示部４１が設けられていて、ナースコール子機２から呼び出しがあると、呼び出しをした患者の名前等の患者情報が液晶表示部４１に表示されるように構成されている。さらに、ナースコール子機２から呼び出しがあると、廊下灯４に設けられた表示ランプ４２が例えば点滅するように構成されている。
【００２２】
ナースコール親機３は、患者からの呼び出しに看護師が応答して通話を行ったり、患者や看護師等の情報を表示する機能を有するものである。ナースコール親機３は、スタッフステーション等の施設内共用部に設置されている。ナースコール親機３は、大型モニタ（親機表示部の一例）３１と、小型モニタ３２と、通話部３３と、を有している。
【００２３】
大型モニタ３１は、例えば２４型の縦長のタッチパネル画面で構成されており、ナースコール親機３の操作部としても機能することが可能である。小型モニタ３２は、例えば７型の横長のタッチパネル画面で構成されている。
【００２４】
通話部３３は、患者からの呼出音および患者の音声を出力するスピーカと、患者の呼び出しに看護師が応答して通話を行うための通話機と、を有している。
【００２５】
制御機５は、中継器として設置されており、接続されている各機器の呼出制御あるいは通話制御等を行なうものである。制御機５は、ハブ１５及び通信ケーブルを介して、廊下灯４、ナースコール親機３、管理ＰＣ３４、後述する交換機（例えばＩＰ−ＰＢＸ）６２、オーダリングシステム７と接続されている。
【００２６】
携帯端末６は、ナースコール子機２からの呼び出しを通知するとともに呼び出しに応答して患者と通話するためのものであり、各看護師によって携帯されている。携帯端末６には表示画面が設けられており、ナースコール子機２からの呼び出しが有ると、呼出元である患者の病室番号、ベッド番号、名前等が表示される。携帯端末６としては、例えばＰＨＳ６ａ，６ｂやスマート端末６ｃ，６ｄ等が用いられ、各携帯端末６ａ，６ｂ，６ｃ，６ｄは個別の端末番号を有している。
【００２７】
基地局６１は、携帯端末６との間で無線通信を行うためのものであり、スタッフステーションの近辺、および施設内でスタッフステーションから離れた場所に所定の間隔で設置されている。交換機６２は、携帯端末６とナースコール子機２とを接続するためのものである。交換機６２は、通信ケーブルを通じて制御機５に接続されている。また、交換機６２は、ハブ１５を経由してナースコール子機２と接続されている。
【００２８】
オーダリングシステム７は、各患者の患者情報を含む病院に関する情報を一括して管理するものであり、例えば施設の管理室等の所定の場所に設置されている。
【００２９】
図２は、制御機５の機能ブロック図である。
図２に示すように、制御機５は、ＣＰＵ５１と、ＣＰＵ５１に接続された記憶部５２、廊下灯インターフェース回路（以下、インターフェース回路を「Ｉ／Ｆ」と称す）５３、親機Ｉ／Ｆ５４、交換機Ｉ／Ｆ５５、及びオーダリングＩ／Ｆ５６と、を備えている。
【００３０】
廊下灯Ｉ／Ｆ５３は、廊下灯４と信号伝送路を形成するための通信部を構成している。親機Ｉ／Ｆ５４は、ナースコール親機３と信号伝送路を形成するための通信部を構成している。交換機Ｉ／Ｆ５５は、交換機６２と信号伝送路を形成するための通信部を構成している。オーダリングＩ／Ｆ５６は、オーダリングシステム７と信号伝送路を形成するための通信部を構成するとともに、オーダリングシステム７で管理されている情報を受信するための回路である。
【００３１】
記憶部５２には、患者情報記憶部５２ａと、勤務情報記憶部５２ｂと、レイアウト情報記憶部５２ｃとが設けられている。患者情報記憶部５２ａには、現在入院している患者の入院日、退院予定日、氏名、性別、年齢、主担当看護師と副担当看護師を含む担当情報、担当医師、病室番号、ベッド番号、感染症情報、救護区分、食事制限の有無、看護必要度、投薬情報などを含んで構成される患者情報が記憶されている。また、患者情報記憶部５２ａとして記憶される患者情報には、ベッド移動履歴情報、採血室、ＭＲ等の検査室、浴室等の所在情報及び同部屋者の履歴情報なども記憶されている。さらに、患者情報記憶部５２ａには、現在入院している患者だけでなく入院予定の患者の患者情報も含まれる。本例では、患者情報は、オーダリングシステム７から例えば定期的に送信されてきて患者情報記憶部５２ａに記憶されている。
【００３２】
勤務情報記憶部５２ｂには、各看護師の勤務情報が記憶されている。勤務情報は、例えば一か月単位で、各看護師の勤務日（勤務予定日を含む）、勤務帯（例えば３勤制であれば、日勤、夜勤、準夜勤のいずれか）、休暇日（休暇予定日を含む）等の勤怠に関する情報で構成されている。本例では、勤務情報は、オーダリングシステム７から例えば定期的に送信されてきて勤務情報記憶部５２ｂに記憶されている。
【００３３】
レイアウト情報記憶部５２ｃには、病院の所定のエリア（特定の病棟やフロアなど）における各病室の配置関係を示すレイアウト情報が記憶されている。レイアウト情報には、各病室の病室番号や各患者のベッド番号を特定するための情報も含まれており、患者情報に含まれる各患者の病室情報やベッド番号と対応づけることで、所定のエリアでどの位置にあるどの病室にどの患者が入院しているかを対応づけることができるものである。
【００３４】
ＣＰＵ５１は、例えば、記憶部５２に記憶される情報の送受信等の管理、ナースコール子機２からの呼び出しに対する携帯端末６の特定等を行っている。携帯端末６を特定する際には、担当看護師とその看護師が携帯する携帯端末６との対応テーブルが用いられる。
【００３５】
図３は、ナースコール親機３の機能ブロック図である。
図３に示すように、ナースコール親機３は、ＣＰＵ（親機表示制御部の一例）３６と、制御機Ｉ／Ｆ３７と、記憶部（親機記憶部の一例）３８と、を備えている。ＣＰＵ３６は、大型モニタ３１と、小型モニタ３２と、通話部３３と接続され、これらの動作を制御する。
【００３６】
制御機Ｉ／Ｆ３７は、制御機５と信号伝送路を形成するための通信部を構成している。
【００３７】
記憶部３８には、制御機５の記憶部５２に記憶された患者情報、勤務情報、レイアウト情報が記憶されている。本例では、これらの情報は、制御機５から例えば定期的に送信されてきて記憶部３８に記憶される。
【００３８】
ＣＰＵ３６は、例えば、記憶部３８に記憶された患者情報、勤務情報、レイアウト情報に基づいて、小型モニタ３２及び大型モニタ３１に表示させる画面を形成する処理を行う。
【００３９】
ところで、入院患者が感染症を発症した場合、感染ルート等を特定するために、対象期間における感染症を発生した対象患者の所在を追跡することが要求される。このため、本実施形態に係るナースコールシステム１では、ナースコール親機３において、患者の所在を追跡する患者の追跡表示を行うことが可能とされている。
【００４０】
次に、ナースコール親機３における患者の追跡表示について説明する。
図４は、ナースコール親機３の小型モニタ３２に表示されるトレース設定画面Ｔｒの表示例である。図５は、ナースコール親機３の大型モニタ３１に表示される時系列所在一覧表示Ｌｔの表示例である。図６は、ナースコール親機３の大型モニタ３１に表示される時系列レイアウト画面ＧＬを示す図であって、（ａ）及び（ｂ）は、それぞれ異なる日時における時系列レイアウト画面ＧＬの表示例である。
【００４１】
医療従事者等の操作者がナースコール親機３の小型モニタ３２をタッチ操作して患者追跡の設定を開始する。すると、図４に示すように、小型モニタ３２には、トレース設定画面Ｔｒが表示される。このトレース設定画面Ｔｒには、所在を追跡したい対象患者を選択する患者選択部７１及び追跡の対象時期を入力する対象時期入力部７２が設けられている。また、トレース設定画面Ｔｒは、検索開始ボタン７３、検索結果表示部７４及び日時切替部７５を有している。
【００４２】
操作者は、トレース設定画面Ｔｒの患者選択部７１で対象患者を選択し、対象時期入力部７２で追跡の対象時期を設定し、検索開始ボタン７３をタッチ操作して対象患者のトレースを開始させる。
【００４３】
例えば、患者「中山陽香」が感染症に感染したとし、その感染時期が２０１４年９月２６日２１時であった場合には、患者選択部７１で「中山陽香」を選択するとともに、対象時期入力部７２で「２０１４／９／２６」及び「２１時」を設定し、検索開始ボタン７３をタッチする。
【００４４】
（検索結果表示）
ＣＰＵ３６は、対象患者の患者ＩＤに基づいて患者情報を記憶部３８から引き出す。そして、ＣＰＵ３６は、記憶部３８から引き出した対象患者の患者情報に基づいて、対象時期以降の対象患者の所在である病室及びベッド番号を特定し、検索結果表示部７４に検索結果を表示させる。この検索結果表示部７４には、例えば、設定した対象時期「２０１４年９月２６日２１時」における対象患者「中山陽香」が居た６０３号室の１番ベッドを表すベッド番号「６０３−１」が表示される。また、この検索結果表示部７４に表示される検索結果の表示は、日時切替部７５をタッチ操作することで、他の日時に切り替えられる。
【００４５】
（所在時系列一覧表示）
ＣＰＵ３６は、対象患者の病室及びベッド番号から、対象時期以降における対象患者の同部屋患者及び同部屋であった患者の患者ＩＤを特定する。さらに、ＣＰＵ３６は、特定した同部屋の患者の患者ＩＤに基づいて、対象患者と同部屋患者及び同部屋であった患者を関連患者として、その関連患者の患者情報を記憶部３８から引き出す。そして、ＣＰＵ３６は、記憶部３８から引き出した患者情報から関連患者の所在である病室及びベッド番号を特定する。
【００４６】
図５に示すように、ＣＰＵ３６は、対象時期以降の対象患者の所在及び対象時期以降の関連患者の所在を時系列で表した所在時系列一覧を作成し、所在時系列一覧表示（一覧表示の一例）Ｌｔとして大型モニタ３１に表示させる。この所在時系列一覧表示Ｌｔでは、対象患者の表示部分を関連患者の表示部分よりも目立つ強調表示とする。例えば、対象患者の表示欄に着色したり、赤線などの太線で囲むことで、関連患者の表示欄に対して対象患者を容易に識別可能とする。
【００４７】
所在時系列一覧表示Ｌｔには、対象時期以降における所定時間（例えば、１８時間）毎の対象患者及び関連患者の氏名、性別、所在である病室番号及びベッド番号、生年月日、年齢、入院日が表示されるとともに、各患者の担当医師名及び担当看護師名が表示される。
【００４８】
図５に示す所在時系列一覧表示Ｌｔでは、２０１４年９月２６日２１時に６０３号室の１番ベッドに居た対象患者である「中山陽香」が２０１４年９月２７日１５時以降に６０５号室の１番ベッドに移動した場合を例示している。
【００４９】
この所在時系列一覧表示Ｌｔでは、２０１４年９月２６日２１時における６０３号室に居た対象患者「中山陽香」の所在情報及び６０３号室の同部屋患者からなる関連患者「大野友紀子」「水野智賀子」「八幡恵理子」の所在情報に続いて、２０１４年９月２７日１５時における６０５号室に居る対象患者「中山陽香」の所在情報、６０５号室の同部屋患者である関連患者「石田朋美」「青木克己」「北田健二」の所在情報及び６０３号室で対象患者と同部屋患者であった関連患者「大野友紀子」「水野智賀子」「八幡恵理子」の所在情報が一覧で表示される。
【００５０】
これにより、操作者は、所在時系列一覧表示Ｌｔを確認することで、対象時期以降の対象患者の所在とともに、対象時期以降に対象患者と同部屋である関連患者及び過去に対象患者と同部屋であった関連患者の所在を一目で把握することができる。
【００５１】
（時系列レイアウト画面）
ＣＰＵ３６は、病院の所定のエリアにおける各病室のレイアウト情報を記憶部３８から引き出し、図６（ａ）、（ｂ）に示すように、対象時期以降における病院の所定エリアのレイアウトを時系列的に作成し、時系列レイアウト画面（レイアウト画面の一例）ＧＬとして大型モニタ３１に表示させる。具体的には、この時系列レイアウト画面ＧＬには、病院の所定エリアの病室、病室内のベッド、採血室、浴室等がレイアウトで示され、各ベッドには、患者の氏名及び患者情報が表示される。
【００５２】
また、この時系列レイアウト画面ＧＬでは、対象患者のベッド表示を関連患者のベッド表示よりも目立つ強調表示とする。例えば、対象患者のベッド表示を赤線などの太線で囲んだり、対象患者のベッド表示部分を着色することで、関連患者のベッド表示に対して容易に識別可能とする。さらに、この時系列レイアウト画面ＧＬでは、対象患者及び関連患者以外の非対象患者のベッド表示を、対象患者及び関連患者のベッド表示よりも目立たない抑制表示とする。例えば、非対象患者のベッド表示に網掛けなどのマスキングを施し、対象患者及び関連患者との識別が容易な表示とする。この時系列レイアウト画面ＧＬは、日時切替部７５をタッチ操作することで、他の日時のものに切り替え可能である。
【００５３】
図６（ａ）に示す時系列レイアウト画面ＧＬは、６０３号室の１番ベッドに対象患者である「中山陽香」が居たときの２０１４年９月２６日２１時のレイアウト画面であり、図６（ｂ）に示す時系列レイアウト画面ＧＬは、６０５号室の１番ベッドに対象患者である「中山陽香」が移動した後の２０１４年９月２７日１５時のレイアウト画面である。
【００５４】
図６（ａ）に示すように、２０１４年９月２６日２１時の時系列レイアウト画面ＧＬでは、６０３号室の対象患者である「中山陽香」のベッド及び同部屋の「大野友紀子」「水野智賀子」「八幡恵理子」のベッドの患者名が表示され、「中山陽香」のベッドが赤線で囲われた強調表示とされている。さらに、対象患者である「中山陽香」のベッドがある６０３号室と異なる病室の患者のベッドは、マスキングされて目立たない抑制表示とされている。
【００５５】
これにより、操作者は、この時系列レイアウト画面ＧＬを確認することで、２０１４年９月２６日２１時の時点において、対象患者の「中山陽香」のベッドの位置を視覚的に迅速に確認することができ、また、同部屋であるために感染の疑いがある関連患者が「大野友紀子」「水野智賀子」「八幡恵理子」であることを迅速に確認することができる。また、この時点で、他に感染の疑いがある関連患者が存在しないことも確認できる。
【００５６】
図６（ｂ）に示すように、２０１４年９月２７日１５時の時系列レイアウト画面ＧＬでは、対象患者である「中山陽香」が６０５号室の１番ベッドに移動したことで、６０５号室の対象患者である「中山陽香」のベッド及び同部屋の「石田朋美」「青木克己」「北田健二」のベッドの患者名が表示され、「中山陽香」のベッドが赤線で囲われた強調表示とされている。さらに、対象患者である「中山陽香」が以前に居たベッドがある６０３号室と同部屋であった「大野友紀子」「水野智賀子」「八幡恵理子」のベッドの患者名が表示される。また、６０３号室で対象患者と同部屋でなかった患者のベッド及び対象患者である「中山陽香」のベッドがある６０５号室と異なる６０５号室の患者のベッドは、マスキングされて目立たない抑制表示とされている。
【００５７】
これにより、操作者は、この時系列レイアウト画面ＧＬを確認することで、２０１４年９月２７日１５時の時点において、対象患者の「中山陽香」のベッドの位置を視覚的に迅速に確認することができ、また、同部屋であるために感染の疑いがある関連患者が「石田朋美」「青木克己」「北田健二」であり、また、同部屋であったために感染の疑いがある関連患者が「大野友紀子」「水野智賀子」「八幡恵理子」であることを迅速に確認することができる。また、この時点で、他に感染の疑いがある関連患者が存在しないことも確認できる。
【００５８】
ところで、対象患者と同部屋であった関連患者も病室を移動する場合がある。この場合、ナースコール親機３のＣＰＵ３６は、時系列レイアウト画面ＧＬにおいて、移動した関連患者の移動先のベッドの患者名も表示させる。
【００５９】
図７は、ナースコール親機３の大型モニタ３１に表示される時系列レイアウト画面ＧＬの表示例である。
図７に示すように、２０１４年９月２６日２１時の時点で対象患者である「中山陽香」と６０３号室で同部屋であった関連患者の「大野友紀子」が２０１４年９月２７日１５時の時点で６０６号室に移動していた場合、ＣＰＵ３６は、２０１４年９月２７日１５時の時系列レイアウト画面ＧＬにおいて、６０６号室の「大野友紀子」のベッドの患者名を表示させる。
【００６０】
これにより、操作者は、この時系列レイアウト画面ＧＬを確認することで、関連患者の「大野友紀子」の移動先の病室でのベッドの位置を容易に把握することができる。
【００６１】
以上、説明したように、上記実施形態に係るナースコールシステム１によれば、例えば、感染症を発症した対象患者及び対象時期を設定すると、対象時期以降の対象患者の所在及び対象時期以降の同部屋の関連患者の所在がナースコール親機３の大型モニタ３１に表示される。したがって、大型モニタ３１を確認することで、対象患者のみならず、感染症に感染した疑いのある関連患者の状況も一目で把握することができ、感染症に対する処置を迅速かつ有効に行うことができる。
【００６２】
特に、ナースコール親機３の大型モニタ３１に表示される対象時期以降の対象患者の所在及び対象時期以降の関連患者の所在からなる所在時系列一覧表示Ｌｔを確認することで、例えば、感染症の感染状況を時系列的に一目で確認することができ、さらに迅速に処置することができる。しかも、対象患者の表示が強調表示されるので、一覧表示において、対象患者と関連患者とを容易に識別することができる。
【００６３】
また、ナースコール親機３の大型モニタ３１に表示される時系列レイアウト画面ＧＬを確認することで、病室内における対象患者及び関連患者の位置を時系列で容易に把握することができる。また、時系列レイアウト画面ＧＬにおいて、対象患者及び関連患者以外の非対象患者のベッド表示が抑制表示とされるので、特別な処置が必要な対象患者及び関連患者に対して非対象患者のベッドを容易に識別することができる。
【００６４】
しかも、時系列レイアウト画面ＧＬにおいて、対象患者のベッド表示が関連患者よりも目立つ強調表示とされるので、病室内における対象患者のベッドを容易に特定することができる。
【００６５】
さらに、ナースコール親機３では、関連患者の移動先の時系列レイアウト画面ＧＬが大型モニタ３１に表示されるとともに、その時系列レイアウト画面ＧＬにおける関連患者のベッド表示が行われるので、大型モニタ３１に表示される時系列レイアウト画面ＧＬを確認することで、関連患者の移動先の病室でのベッドの位置も容易に把握することができる。
【００６６】
なお、上記実施形態では、患者が使用しているベッドを患者の所在としたが、この患者の所在には、ベッド以外にも、採血室、ＭＲ等の検査室、浴室なども含まれる。したがって、所在時系列一覧表示Ｌｔ及び時系列レイアウト画面ＧＬにおける所在の情報として、ベッド以外の採血室、ＭＲ等の検査室及び浴室なども含めるようにしても良い。
【符号の説明】
【００６７】
１：ナースコールシステム、２：ナースコール子機、３：ナースコール親機、３１：大型モニタ（親機表示部の一例）、３６：ＣＰＵ（親機表示制御部の一例）、３８：記憶部（親機記憶部の一例）、ＧＬ：時系列レイアウト画面（レイアウト画面の一例）、Ｌｔ：所在時系列一覧表示（一覧表示の一例）
【図１】
0006468917.tif 000002
【図２】
0006468917.tif 000003
【図３】
0006468917.tif 000004
【図４】
0006468917.tif 000005
【図５】
0006468917.tif 000006
【図６】
0006468917.tif 000007
【図７】
0006468917.tif 000008